(57)【要約】      （修正有）【課題】見開きページを水平に開くことのできる異綴じ冊子を提供する。【解決手段】異綴じ冊子１ののど部４において、左右のページ紙を水平に開くことのできる完全見開き製本を行う。ＰＵＲ製本とすることが好ましい。のど部４に対向する短ページ紙２ａ〜２ｄと長ページ紙３ａ〜３ｃの辺が合わさって、小口部５が形成される。短ページ紙２ａ〜２ｄと長ページ紙３ａ〜３ｃののど部４からの長さの差は、小口部５における短ページ紙２ａ〜２ｄと長ページ紙３ａ〜３ｃの位置の差となる。この差Ｄが０．５ｍｍ程度あれば、小口部５に指を接触させてページをめくるとき、表表紙側からページをめくると奇数番目の見開き面が開き、裏表紙側からページをめくると偶数番目の見開き面が開く。【選択図】図１
0003197811.tif 000002
【実用新案登録請求の範囲】
【請求項１】
のど部から小口部までの距離の短い短ページ紙と、のど部から小口部までの距離の長い長ページ紙とを交互に重ね、
見開きとなる２ページの組を、表表紙側から順に第１見開き面、第２見開き面、．．．、第２ｎ見開き面とし（ｎは２以上の自然数）、小口部に指を接触させてページをめくるとき、表表紙側からページをめくると奇数番目の見開き面が開き、裏表紙側からページをめくると偶数番目の見開き面が開く冊子であって、
のど部において、左右のページ紙を水平に開くことのできる完全見開き製本がされていることを特徴とする、冊子。
【請求項２】
前記完全見開き製本がＰＵＲ製本であることを特徴とする、請求項１に記載の冊子。
【請求項３】
前記２ｎ個の見開き面の少なくとも１つに、その見開き面の２ページにまたがって連続する画像が印刷されていることを特徴とする、請求項１又は２に記載の冊子。
【請求項４】
前記奇数番目の見開き面と前記偶数番目の見開き面のいずれか一方に、利用者が書き込みを行う書込欄が設けられていることを特徴とする、請求項１〜３のいずれか１項に記載の冊子。
【考案の詳細な説明】
【技術分野】
【０００１】
本考案は、書籍、ノート、その他の冊子に関する。
【背景技術】
【０００２】
書籍、ノート等の冊子は、小口部に指を接触させてページをめくるが、表表紙側からめくったときと裏表紙側からめくったときとで、同一のページが逆順に見えるものがふつうである。
【０００３】
これに対し、非特許文献１には、のど部から小口部までの距離の短い短ページ紙とのど部から小口部までの距離の長い長ページ紙とを交互に重ねて綴じることで、ページ紙が２枚ずつめくられ、表表紙側からめくったときと裏表紙側からめくったときとで異なるページが見える冊子が開示されている。見開きとなる２ページの組を、表表紙側から順に第１見開き面、第２見開き面、．．．とし、小口部に指を接触させてページをめくるとき、表表紙側からページをめくると奇数番目の見開き面が開き、裏表紙側からページをめくると偶数番目の見開き面が開くものである。（以下、かかる綴じ方を「異綴じ」、かかる冊子を「異綴じ冊子」と言う。）
【０００４】
異綴じ冊子は、手品のような効果を有しており、楽しく見ることができるものである。一方、異綴じによって実用的な効果を実現しているものではなかった。
【先行技術文献】
【特許文献】
【０００５】
【特許文献１】特開２００１−３４７７７２号公報
【非特許文献】
【０００６】
【非特許文献１】摩訶不思議四次元綴じ  http://www.pideo.net/video/youtube/352b02ddf922de13/
【考案の概要】
【考案が解決しようとする課題】
【０００７】
従来の異綴じ冊子の問題点として、見開きページを水平に開くことのできるものがなかったことが挙げられる。このため、見開きページ全体としての視覚的効果に乏しく、また、書き込みをするには不自由があり、コピーを取る際にも不自由であった。
【０００８】
本考案は、見開きページを水平に開くことのできる異綴じ冊子を提供することを課題とする。これにより、後述のように実用的な異綴じ冊子となる。
【課題を解決するための手段】
【０００９】
本考案の冊子は、
のど部から小口部までの距離の短い短ページ紙と、のど部から小口部までの距離の長い長ページ紙とを交互に重ね、
見開きとなる２ページの組を、表表紙側から順に第１見開き面、第２見開き面、．．．、第２ｎ見開き面とし（ｎは２以上の自然数）、小口部に指を接触させてページをめくるとき、表表紙側からページをめくると奇数番目の見開き面が開き、裏表紙側からページをめくると偶数番目の見開き面が開く冊子であって、
のど部において、左右のページ紙を水平に開くことのできる完全見開き製本がされていることを特徴とする。
【００１０】
異綴じ冊子ののど部における製本を、左右のページ紙を水平に開くことのできるものとする。具体的には、ページ紙に対する糊付けを薄くした製本である。これにより、コピーを取る際にも便利である。なお、異綴じ冊子の見開き面の数は偶数となる。
【００１１】
本考案の冊子は、
前記完全見開き製本がＰＵＲ製本であることを特徴とする。
【００１２】
反応性ポリウレタン（Poly Urethane Reactive）を糊として用いるＰＵＲ製本（特許文献１参照）は、完全見開き製本として広く知られている。
【００１３】
本考案の冊子は、
前記２ｎ個の見開き面の少なくとも１つに、その見開き面の２ページにまたがって連続する画像が印刷されていることを特徴とする。
【００１４】
完全見開き製本によって２ページの境界が平面状になる。２ページにまたがって連続する画像を印刷し、自然にかつ美しく見せることができる。
【００１５】
本考案の冊子は、
前記奇数番目の見開き面と前記偶数番目の見開き面のいずれか一方に、利用者が書き込みを行う書込欄が設けられていることを特徴とする。
【００１６】
書き込みを行う場合にも、完全見開き製本が好ましい。机の上に冊子を開き、平面状の見開き面に書き込むことができる。
【考案の効果】
【００１７】
見開きページを水平に開くことのできる異綴じ冊子が提供される。
【図面の簡単な説明】
【００１８】
【図１】図１は、異綴じ冊子を示す図である。
【図２】図２は、見開き面を説明するための表である。
【図３】図３は、異綴じ冊子の使用状態を示す図である。
【考案を実施するための形態】
【００１９】
以下、本考案の実施形態について説明する。
【００２０】
図１は、異綴じ冊子を示す図である。異綴じ冊子１は、ｎ枚の短ページ紙２（２ａ、２ｂ、２ｃ、２ｄで示す）、（ｎ−１）枚の長ページ紙３（３ａ、３ｂ、３ｃで示す）をのど部４において製本したものであり、表表紙６及び裏表紙７を有する。なお、図ではｎ＝４としたが、実際のｎの値はより大きい。表表紙６及び裏表紙７の裏側を１ページとして数えると、異綴じ冊子１は、４ｎページの冊子となる。例えばｎ＝５０として２００ページの冊子とすることが考えられる。ｎ＝４としても異綴じ冊子１の構成はｎが大きい場合と同様であるので、以下ｎ＝４の例で説明する。
【００２１】
のど部４における製本は、完全見開き製本であればいかなるものでもよいが、ＰＵＲ製本とすることが好ましい。
【００２２】
のど部４に対向する短ページ紙２と長ページ紙３の辺が合わさって、小口部５が形成される。短ページ紙２と長ページ紙３ののど部４からの長さの差は、小口部５における短ページ紙２と長ページ紙３の位置の差となる。この差Ｄが０．５ｍｍ程度あれば、小口部５に指を接触させてページをめくるとき、表表紙側からページをめくると奇数番目の見開き面が開き、裏表紙側からページをめくると偶数番目の見開き面が開く。
【００２３】
図２は、見開き面を説明するための表である。表表紙６及び裏表紙７を長ページ紙とみなすと、奇数番目の見開き面は、左ページが長ページ紙３の裏側、右ページが短ページ紙２の表側である。これに対し、偶数番目の見開き面は、左ページが短ページ紙２の裏側、右ページが長ページ紙３の表側である。小口部５に指を接触させてページをめくるときには長ページ紙３に指が接触するので、長ページ紙３とその隣の短ページ紙２の２枚がめくられる。表表紙側からページをめくるときには長ページ紙３が左ページとなり、裏表紙側からページをめくるときには長ページ紙３が右ページとなる。表表紙側からページをめくると奇数番目の見開き面が開き、裏表紙側からページをめくると偶数番目の見開き面が開くことがわかる。
【００２４】
図３は、異綴じ冊子の使用状態を示す図である。図は、第３の見開き面が開いている状態を示す。左ページの長ページ紙３ａと右ページの短ページ紙２ｂとは、水平に開かれている。
【００２５】
ここで、小口部５に指を接触させて長ページ紙３ｂをめくると、第５の見開き面が開く。
【００２６】
一方、小口部５に指を接触させずに短ページ紙２ｂをめくることも可能である。そうすると、第４の見開き面が開く。
【００２７】
異綴じ冊子１において、奇数番目の見開き面に概要を、偶数番目の見開き面にその概要に対応する詳細を印刷等することができる。こうすると、利用者は、表表紙側から、小口部５に指を接触させて長ページ紙３をめくることで、概要のみを通覧することができる。その中で詳細を見たいものが発見されたときに小口部５に指を接触させずに短ページ紙２をめくることで詳細を見ることができる。概要のみを通覧しつつ、必要に応じて詳細を見ることができ、実用的である。
【００２８】
以上、「概要」及び「詳細」の語は一般的な意味で用いた。利用者の目的によっては、詳細のみを通覧しつつ、必要に応じて概要を見ることもできる。利用者は、裏表紙側から、小口部５に指を接触させて長ページ紙３をめくればよい。
【００２９】
図２において、コンテンツ例の欄に、かかる実用的なコンテンツの例を示す。
【００３０】
（コンテンツ例１）奇数番目の見開き面に、レストランの写真、料理の写真を印刷する。その次の偶数番目の見開き面にはそのレストランの詳細メニュー、価格、地図を印刷する。
【００３１】
利用者は、レストラン及び料理の写真を通覧し、興味を持ったレストランについての詳細を見ることができる。
【００３２】
利用者はまた、レストランのメニューと価格を通覧し、興味を持った（例えば希望する種類の料理で予算内の）レストランの料理の写真を見ることもできる。さらに、ＰＵＲ製本であるので、そのレストランに行く際に見るためにコピーを取ることも容易である。
【００３３】
（コンテンツ例２）奇数番目の見開き面に、（例えば数学の）問題を印刷する。その次の偶数番目の見開き面にはその問題の回答を記入する書込欄を設ける。
【００３４】
利用者は、最初に問題を解くときには、順次に回答を記入していくことができる。
【００３５】
利用者はまた、問題を通覧して、回答に自信のないもののみを再回答することができる。その際には、自身の前回の回答を参照することができる。
【００３６】
（コンテンツ例３）奇数番目の見開き面に、レクリエーション施設の写真、説明を印刷する。その次の偶数番目の見開き面にはアンケートを記入する書込欄を設ける。
【００３７】
団体でレクリエーションに往訪する施設を選定するものとする。各参加者は、レクリエーション施設の写真、説明を通覧して、自分が希望する施設についてのアンケートを書込欄に記入する。この際、他の参加者のアンケートを見ずに施設の写真、説明を通覧できる。
【００３８】
全参加者によるアンケートの記入後に、幹事は、記入されたアンケートを通覧して、希望の多いレクリエーション施設を選定することができる。
【００３９】
以上詳細に説明したように、本考案の冊子は、見開きページを水平に開くことのできる異綴じ冊子である。これにより、コンテンツ例に示したような他種の実用的なコンテンツが実現可能となる。
【産業上の利用可能性】
【００４０】
見開きページを水平に開くことのできる異綴じ冊子であり、実用性を備えるものである。多くの印刷会社や個人による利用が期待される。
【符号の説明】
【００４１】
１      異綴じ冊子
２      短ページ紙
３      長ページ紙
４      のど部
５      小口部
６      表表紙
７      裏表紙
８１    見開き面
【図１】
0003197811.tif 000003
【図２】
0003197811.tif 000004
【図３】
0003197811.tif 000005